(57)【要約】      （修正有）【課題】調整の便利さおよび比較的優れた安定性を有するラウンジチェアシート位置決め装置を提供する。【解決手段】ホルダーと、位置決めブロックと、調整バーと、組立機構とを備える。ホルダーは、第１、第２座体を有し、第１座体は、側板と、シート棒体を掛合可能な合わせ穴とシートと接合可能な接合部を有する。第１、第２座体は枢着し、かつラウンジチェア棒体を掛合可能な掛合部がそれぞれ設けてある。第１、第２座体の間の弾性素子が、第１、第２座体を平時に支えて展開状態を呈する。位置決めブロックは第２座体上に設け、位置決め凸体を外側に突設する。調整バーの接合座にグリップを連設する。接合座の片側の位置決めブロックに対応する位置に異なる高さの位置決め部を有する位置決め溝を環設する。組立機構は、位置決め溝を位置決めし、位置決めブロックに密着させることができる。【選択図】図１
0003156788.tif 000002
【実用新案登録請求の範囲】
【請求項１】
第１、第２座体を有し、該第１座体は側板を有し、第２座体を収容可能な開口部を有し、該側板にはラウンジチェア棒体を被着可能な合わせ穴が設けてあり、該第１、第２座体は枢着し、かつラウンジチェア棒体を掛合可能な掛合部をそれぞれ設け、第１、第２座体には貫通穴が設けてあり、第１、第２座体の間に弾性素子が設けてあり、第１、第２座体を平時に弾性素子で支えて展開状態を呈するようにし、第１座体にシートと接合可能な接合部を設けたホルダーと、
第２座体上に設け、中央の前記貫通穴に対応する位置に貫通穴を設け、かつ位置決め凸体を外側に突設する位置決めブロックと、
接合座を有し、接合座にグリップを連設し、該接合座の前記貫通穴に対応する位置に貫通穴を設け、片側の位置決めブロックに対応する位置に位置決め溝を環設し、該位置決め溝は対応して開閉する異なる高さの位置決め部を有し、位置決め部の間に移動ガイド斜面が設けてある調整バーと、
接合バーを前記ホルダー、位置決めブロック、調整バーの貫通穴に貫通する組立を主に有し、組立後に調整バーの位置決め溝を位置決めし、位置決めブロックに密着させることができる組立機構と、
を備え、これによって、ホルダーの合わせ穴、掛合部は、シートの棒体に掛合することができ、ホルダーは合わせ穴によって棒体を掛合しガイドして移動させることができ、調整バーの比較的低い位置の位置決め部を位置決めブロックの凸体に接合させるときに、ホルダーの２つの掛合部は、弾性素子の弾力によって展開状態を呈し、２つの掛合部が棒体を緊密に挟まないようにし、また調整バーを回転させ、接合座の位置決め溝を位置決めブロックに対応させ回転させることができ、かつ位置決めブロックを移動ガイド斜面に沿ってもう１つの比較的高い位置の位置決め部まで移動させ位置決めすることができ、かつホルダーの掛合部が棒体をきつく締め、位置決めするラウンジチェア位置決め装置。
【請求項２】
ホルダーの合わせ穴の直径は、棒体の直径よりも略大きく、合わせ穴の内壁と棒体の外壁は掛合きつさを略有することができる請求項１に記載のラウンジチェア位置決め装置。
【請求項３】
棒体の一端はシート台座と固接し、シートは背もたれと枢着し、棒体にストッパを設け、ホルダーが棒体に沿って移動し、シート、背もたれの角度を同時に調整することができ、ストッパは、背もたれを最小傾斜角度に制限することができる請求項１に記載のラウンジチェア位置決め装置。
【請求項４】
第１座体は２つの側板を有し、２つの側板の間には、第２座体を収容可能な開口部を有し、２つの側板に合わせ穴がそれぞれ設けてある請求項１に記載のラウンジチェア位置決め装置。
【請求項５】
接合座の反対側に凹部を設け、また組立機構は２つの接合バーを有し、軸受と、パッドとをさらに備え、該接合バーは前記ホルダー、位置決めブロック、調整バーの貫通穴を貫通し、後端は座体に当接し、また軸受、パッドの中央には貫通穴を有し、該貫通穴は接合バーに掛合し、前記接合座の凹部内に収容し、軸受を凹部の内壁に密着させ、またもう１つの接合バーの前端は接合部を有し、前記接合バーと接合し、かつパッドに緊合可能な緊合部を有し、組立後に調整バーの位置決め溝を位置決めし、位置決めブロックに密着させることができ、調整バーを回転させるときに、軸受によって摩擦力を減少させることができる請求項１に記載のラウンジチェア位置決め装置。
【考案の詳細な説明】
【技術分野】
【０００１】
本考案は、主にラウンジチェアシートの角度を調整可能で、調整の便利さ、安定性を有するラウンジチェア位置決め装置に関する。
【背景技術】
【０００２】
公知のラウンジチェアは通常、台座上に棒体が設けられ、前記棒体上に棒体上を移動して動作可能な位置決め装置が被せてある。前記位置決め装置をシートと接合することにより、シートを調整して移動させ、位置決め装置を棒体に沿って移動させ、所定の位置まで移動させた後、前記位置決め機構と棒体を固定してシートの位置を決めることができる。また、前記シートを移動するときに、通常、背もたれを連動させることによって、通常座る角度またはもたれる角度を調整し、使用することができる。
【０００３】
しかし、公知の位置決め装置の多くは、棒体を回転させきつく締める方式で固定するが、このきつく回転させる方式は、操作が不便で、きつく回転させないときに、位置決めが確実でないという欠陥を有する。また、ゆるめて回転させ調整するプロセスは、後ろに傾ける角度を有する背もたれがゆるんだ状態にあるため、背もたれが重力を受け、最大角度まで大幅に後ろに傾き、角度の調整が不便になりやすいという欠陥を有する。
【考案の概要】
【考案が解決しようとする課題】
【０００４】
本考案の目的は、操作が簡単で、角度を調整しやすく、好ましい動作安定性を有する位置決め装置を提供することである。
【課題を解決するための手段】
【０００５】
本考案は、ホルダーと、位置決めブロックと、調整バーと、組立機構とを備える。前記ホルダーは、第１、第２座体を有し、前記第１座体は２つの側板を有し、２つの側板の間には、第２座体を収容可能な開口部を有する。また、前記２つの側板の対応する位置には、ラウンジチェア棒体を被着可能な合わせ穴がそれぞれ設けてある。前記合わせ穴の直径は、棒体の直径よりも略大きく、合わせ穴を棒体に掛合させ、移動時にガイド作用を有するようにし、合わせ穴の内壁と棒体の外壁は掛合のきつさを略有することができる。また、前記２つの座体は枢着し、かつラウンジチェア棒体を掛合可能な掛合部がそれぞれ設けてある。また、第１、第２座体には貫通穴が設けてあり、第１、第２座体の間に弾性素子が設けてあり、第１、第２座体を平時に弾性素子で支えて展開状態を呈するようにする。また、第１座体には、シートと接合可能な接合部を設ける。また、位置決めブロックは第２座体上に設け、中央の前記貫通穴に対応する位置に貫通穴を設け、かつ位置決め凸体を外側に突設する。また、調整バーは接合座を有し、接合座にグリップを連設する。また、前記接合座の前記貫通穴に対応する位置に貫通穴を設け、片側の位置決めブロックに対応する位置に位置決め溝を環設する。前記位置決め溝は対応して開閉する異なる高さの位置決め部を有し、位置決め部の間に移動ガイド斜面が設けてある。また、接合座の反対側には凹部が設けてある。また、組立機構は、２つの接合バーと、軸受と、パッドと、蓋体とを備える。前記接合バーは前記ホルダー、位置決めブロック、調整バーの貫通穴を貫通し、後端は座体に当接し、かつ前端は螺孔を有する。また、軸受、パッドの中央には貫通穴を有し、前記貫通穴は接合バーに掛合し、前記接合座の凹部内に収容し、軸受を凹部の内壁に密着させる。また、もう１つの接合バーの前端は接合部を有し、前記接合バーと螺合する。かつ、パッドに緊合可能な緊合部を有し、組立後に調整バーの位置決め溝を位置決めし、位置決めブロックに密着させることができる。また、蓋体は接合座の外側に被せる。これによって、本考案のホルダーの合わせ穴、掛合部をシートの棒体に掛合し、前記合わせ穴を棒体に掛合し移動させ、ガイド作用をもたせ、動作安定性を高めることができる。また、前記合わせ穴と棒体は、適当なきつさで締め合わせ、掛合部が展開状態のときにホルダーを滑りにくくし、調整の便利さをもたせる。また、調整バーの比較的低い位置の位置決め部を位置決めブロックの凸体に接合させるときに、ホルダーの２つの掛合部は、弾性素子の弾力によって展開状態を呈し、２つの掛合部は棒体を緊密に挟まないようにし、使用者が力を入れてシートを移動させるときに、位置決め装置が棒体に沿って移動できるようにする。また、所定の位置まで移動させた後に、調整バーのグリップを握持し、調整バーを回転させ、接合座の位置決め溝を位置決めブロックに対応させ回転させることができる。かつ、位置決めブロックを移動ガイド斜面に沿ってもう１つの比較的高い位置の位置決め部まで移動させて位置決めすることができる。ホルダーの掛合部が力を受けて棒体を挟み、位置決めの効果をもたせるようにすることができ、本考案に比較的優れた調整の便利さおよび位置決めの安定性の効果をもたせることができる。
【図面の簡単な説明】
【０００６】
【図１】本考案の位置決め装置の分解図である。
【図２】本考案の調整バーのもう１つの概要図である。
【図３】本考案の位置決め装置の組立概要図である。
【図４】本考案の位置決め装置をラウンジチェアに設けた調整概要図である。
【図５】本考案の図３のＡ−Ａに対応する断面図であり、２つの挟体の展開状態を示す。
【図６】本考案の対応する２つの座体の展開状態の位置決め溝、位置決めブロックの位置概要図である。
【図７】本考案の対応する２つの座体の展開状態と２つの座体が棒体をきつく締めていない概要図である。
【図８】本考案の２つの座体を合わせた状態の動作断面図である。
【図９】本考案の２つの座体を合わせた状態の位置決め溝、位置決めブロックの位置概要図である。
【図１０】本考案の２つの座体を合わせた状態と２つの座体が棒体をきつく締めた概要図である。
【考案を実施するための形態】
【０００７】
図１〜５に示すように、本考案の位置決め装置は、ホルダー１と、位置決めブロック２と、調整バー３と、組立機構４とを備える。ホルダー１は、第１、第２座体１１、１２を有し、第１座体１１は２つの側板１１１を有し、２つの側板１１１の間には、第２座体１２を収容可能な開口部１１２を有する。また、２つの側板１１１の対応する位置には、ラウンジチェア棒体５を被着可能な合わせ穴１１３がそれぞれ設けてある。合わせ穴１１３の直径は、棒体５の直径よりも略大きく、合わせ穴１１３を棒体５に掛合させ、移動時にガイド作用を有するようにし、合わせ穴１１３の内壁と棒体５の外壁は掛合のきつさを略有することができる。また、第１、第２座体１１、１２は枢着部１１４、１２１をそれぞれ設け、第２座体１２を第１座体１１の開口部１１２に置くときに、枢着素子１１５によって枢着する。また、第１座体１１および第２座体１２の対応する位置にラウンジチェア棒体５を掛合可能な掛合部１１６、１２２がそれぞれ設けてある。掛合部１１６、１２２の内壁には、防滑材（図には未標示）を設け、掛合部１１６、１２２が棒体５を挟合する挟合きつさを増進することができる。また、第１、第２座体１１、１２には貫通穴１１７、１２３が設けてあり、２つの座体１１、１２の間に弾性素子１１８が設けてあり、第１、第２座体１１、１２を平時に弾性素子１１８で支えて展開状態を呈するようにする。また、第１座体１１には、シート６と接合可能な接合部１１９を設ける。
【０００８】
位置決めブロック２は、第２座体１２上に設け、中央の貫通穴１２３に対応する位置に貫通穴２１を設け、かつ位置決め凸体２２を外側に突設する。
【０００９】
調整バー３は接合座３１を有し、接合座３１にグリップ３２を連設する。また、接合座３１の貫通穴２１に対応する位置に貫通穴３１１を設け、片側の位置決めブロック２に対応する位置に位置決め溝３１２を環設する。位置決め溝３１２は対応して開閉する異なる高さの位置決め部３１３、３１４を有し、位置決め部３１３、３１４の間に移動ガイド斜面３１５が設けてある。また、接合座３１の反対側には凹部３１６が設けてある。
【００１０】
組立機構４は、２つの接合バー４１、４２と、軸受４３と、パッド４４と、蓋体４５とを備える。接合バー４１はホルダー１、位置決めブロック２、調整バー３の貫通穴１１７、１２３、２１、３１１を貫通し、後端は座体１１に当接し、かつ前端は螺孔４１１を有する。また、軸受４３、パッド４４の中央には貫通穴４３１、４４１を有し、貫通穴４３１、４４１は接合バー４１に掛合し、接合座３１の凹部３１６内に収容し、軸受４３を凹部３１６の内壁に密着させる。また、もう１つの接合バー４２の前端は接合部４２１を有し、接合バー４１と螺合する。かつパッド４４に緊合可能な緊合部４２２を有し、組立後に調整バー３の位置決め溝３１２を位置決めし、位置決めブロック２に密着させることができる。また、蓋体４５は接合座３１の凹部３１６の外側に被せ、全体を組み立て、外観の一体感をもたせることができる。
【００１１】
図４〜７に示すように、本考案の全体を組み立てた後、ホルダー１の第１座体１１の合わせ穴１１３を棒体５に掛合する。棒体５の一端はシート台座７と固接し、上方は手すり８に接合する。また、ホルダー１の接合部１１９はシート６と固接し、シート６は背もたれ９と枢着する。また、棒体５にストッパ５１を設け、ホルダー１が棒体５に沿って移動し、シート６、背もたれ９の角度を同時に調整することができる。ストッパ５１は、背もたれ９を最小傾斜角度ａに制限することができる。また、ホルダー１の合わせ穴１１３、掛合部１１６、１２２はシートの棒体５を掛合し、調整バー３の比較的低い位置の位置決め部３１３を位置決めブロック２の凸体２２と接合させるときに、ホルダー１の２つの掛合部１１６、１２２は、弾性素子１１８の弾力によって展開状態を呈し、２つの掛合部１１６、１２２は棒体５を緊密に挟まないようにし、シート６を移動させるときに、位置決め装置のホルダー１が棒体５に沿って移動できるようにする。合わせ穴１１３を棒体５に掛合することによって、ガイド移動の動作安定性をもたせる。また、ホルダー１の合わせ穴１１３は、僅かな締めるきつさで棒体５を締め合わせるため、掛合部１１６、１２２が挟さみ合わされていない棒体５を展開するときに、ホルダー１が背もたれ９の重力のために移動することがない。操作者が僅かに力を加えることによってホルダー１を移動させ角度を調整することができ、背もたれ９が２つの掛合部１１６、１２２の展開時に、重力によって自動的に最大角度ｂの位置に寄ることを防止する（図４参照）。比較的優れた操作の便利さ、安定性を有する。
【００１２】
図４、図８〜１０に示すように、本考案の位置決め装置を所定の位置まで移動させた後に、調整バー３のグリップ３２を握持し、調整バー３を回転させ、接合座３１の位置決め溝３１２を位置決めブロック２に対応させ回転させることができる。かつ、位置決めブロック２を移動ガイド斜面３１５に沿ってもう１つの比較的高い位置の位置決め部３１４まで移動させ位置決めすることができる。かつ、組立機構４の２つの接合バー４１、４２の組立長さは変わらないため、ホルダー１の掛合部１２２が力を受けてずれ、もう１つの掛合部１２２が棒体５をきつく締め、位置決めの効果をもたせるようにすることができ、本考案に比較的優れた調整の便利さおよび位置決めの安定性の効果をもたせることができる。
【００１３】
また、本考案は、軸受４３の設計により、調整バー３を回転させるときに、軸受４３が接合座３１の凹部３１６の内壁に当接して回転することができ、摩擦を減少し、操作のスムーズさを増進することができる。
【００１４】
本考案は、第１座体が片側の板、１つの合わせ穴しか有さない場合、前記合わせ穴を棒体に掛合することによっても、本考案にガイドおよび比較的優れた調整の便利さの効果をもたせることができる。前記実施例は、本考案の例であり、本考案を制限するものではなく、本考案は本考案の主旨内で変更および修正することができる。
【符号の説明】
【００１５】
１：ホルダー、 １１：第１座体、 １１１：側板、 １１２：開口部、１１３：合わせ穴、 １１４：枢着部、 １１５：枢着素子、 １１６：掛合部、１１７：貫通穴、 １１８：弾性素子、 １１９：接合部、 １２：第２座体、１２１：枢着部、 １２２：掛合部、 １２３：貫通穴、 ２：位置決めブロック、２１：貫通穴、 ２２：位置決め凸体、 ３：調整バー、 ３１：接合座、３１１：貫通穴、 ３１２：位置決め溝、 ３１３：位置決め部、 ３１４：位置決め部、３１５：斜面、 ３１６：凹部、 ３２：グリップ、 ４：組立機構、４１：接合バー、 ４１１：螺孔、 ４２：接合バー、 ４２１：接合部、４２２：緊合部、 ４３：軸受、 ４３１：貫通穴、 ４４：パッド、４４１：貫通穴、 ４５：蓋体、 ５：棒体、 ５１：ストッパ、６：シート、 ７：台座、 ８：手すり、 ９背もたれ、
【図１】
0003156788.tif 000003
【図２】
0003156788.tif 000004
【図３】
0003156788.tif 000005
【図４】
0003156788.tif 000006
【図５】
0003156788.tif 000007
【図６】
0003156788.tif 000008
【図７】
0003156788.tif 000009
【図８】
0003156788.tif 000010
【図９】
0003156788.tif 000011
【図１０】
0003156788.tif 000012